(57)【要約】【課題】軒樋１で受けた雨水の量が増大した場合でも、軒樋１からの雨水が集水器６の排水口５からスムーズに排水できることが可能な軒樋の排水構造を提供する。【解決手段】軒樋１からの雨水を集水器６の排水口５に導くと共に集水器６から軒樋１が抜けることを防止するガイド部材１１を軒樋１の底部端縁１２に取付けていて、このガイド部材１１は、軒樋１の底部端縁１２側から、集水器６の排水口５の中央に向けて低くなる斜面１３を備えると共に、軒樋１の底部端縁１２を挟持できるクリップ１４を一体に形成していることを特徴とする軒樋の排水構造。【選択図】　　　　図１
2004084177.tif 000002
【特許請求の範囲】
【請求項１】
その底部を略平面状に形成している軒樋と、上面が開口していて、底面に排水口を有する箱状の集水器とを、集水器の側壁に設けた軒樋挿入口に軒樋の端部を挿入して接続している、軒樋で受けた雨水を集水器の排水口から排水する軒樋の排水構造において、
軒樋からの雨水を集水器の排水口に導くと共に集水器から軒樋が抜けることを防止するガイド部材を軒樋の底部端縁に取付けていて、このガイド部材は、軒樋の底部端縁側から、集水器の排水口中央に向けて低くなる斜面を備えると共に、軒樋底部端縁を挟持できるクリップを一体に形成していることを特徴とする軒樋の排水構造。
【請求項２】
ガイド部材が備える斜面が、下方に湾曲する湾曲面であることを特徴とする請求項１記載の軒樋の排水構造。
【請求項３】
前記湾曲面を、軒樋の底部端縁側から、集水器の排水口中央に向けて、末広がりとなるように形成していることを特徴とする請求項２記載の軒樋の排水構造。
【発明の詳細な説明】
【０００１】
【発明の属する技術分野】
本発明は、その底部を略平面状に形成している軒樋で受けた雨水を集水器に導き、集水器の排水口から縦樋に排水する際に用いる軒樋の排水構造に関する。
【０００２】
【従来の技術】
従来の軒樋の排水構造として、図３に示すように、その底部２を略平面状に形成している軒樋１と、上面３が開口していて、底面４に排水口５を有する箱状の集水器６とを、集水器６の側壁７に設けた軒樋挿入口８に軒樋１の端部９を挿入して接続している、軒樋１で受けた雨水を集水器６の排水口５から排水する軒樋の排水構造が知られている（例えば、特開２００１−１２３６０３号公報）。なお、集水器６の側壁７に設ける軒樋挿入口８は、その上部が切り欠かれている場合と、その上部が集水器６の側壁７で覆われている場合とがある。
【０００３】
図３に示す従来の排水構造では、左右の軒樋１、１で受けた雨水が矢印ａ方向に流れて、集水器６の排水口５が形成されている排水筒１０に流れ込む。そして、軒樋に多量の雨水が流入した場合には、軒樋１の底部２が略平面状に形成されているため、左右の軒樋１、１からの雨水が排水筒１０の上方で衝突し、集水器６の排水口５からスムーズに排水できず、集水器６の軒樋挿入口８等から漏れ出すことがあった。
【０００４】
【発明が解決しようとする課題】
本発明は、上記事情に鑑みて成されたものであり、その目的とする所は、その底部を略平面状に形成している軒樋で受けた雨水を集水器に導き、集水器の排水口から排水する軒樋の排水構造に関して、軒樋で受けた雨水の量が増大した場合でも、軒樋からの雨水が集水器の排水口からスムーズに排水できることが可能な軒樋の排水構造を提供することにある。
【０００５】
【課題を解決するための手段】
請求項１に係る発明の軒樋の排水構造は、その底部を略平面状に形成している軒樋と、上面が開口していて、底面に排水口を有する箱状の集水器とを、集水器の側壁に設けた軒樋挿入口に軒樋の端部を挿入して接続している、軒樋で受けた雨水を集水器の排水口から排水する軒樋の排水構造において、軒樋からの雨水を集水器の排水口に導くと共に集水器から軒樋が抜けることを防止するガイド部材を軒樋の底部端縁に取付けていて、このガイド部材は、軒樋の底部端縁側から、集水器の排水口中央に向けて低くなる斜面を備えると共に、軒樋底部端縁を挟持できるクリップを一体に形成していることを特徴とする。
【０００６】
請求項２に係る発明の軒樋の排水構造は、請求項１記載の軒樋の排水構造において、ガイド部材が備える斜面が、下方に湾曲する湾曲面であることを特徴とする。
【０００７】
請求項３に係る発明の軒樋の排水構造は、請求項２記載の軒樋の排水構造において、前記湾曲面を、軒樋の底部端縁側から、集水器の排水口中央に向けて、末広がりとなるように形成していることを特徴とする。
【０００８】
【発明の実施の形態】
以下に本発明の実施の形態を図面に基づいて説明する。
【０００９】
図１は本発明の軒樋の排水構造の実施の形態を示す概略断面図であり、図２はこの実施の形態で使用するガイド部材１１を示す斜視図である。
【００１０】
図１に示す実施の形態では、その底部２を略平面状に形成している軒樋１、１と、上面３が開口していて、底面４に排水口５を有する箱状の集水器６とを、集水器６の対向する側壁７、７に設けた軒樋挿入口８、８に軒樋１の端部９を挿入して接続している。軒樋挿入口８は軒樋１の形状に対応する形状に形成していて、その上部が切り欠かれている状態としているが、軒樋挿入口８の上部を集水器６の側壁７で覆うように形成することも可能である。また、集水器６の排水口５は排水筒１０に形成されていて、この排水筒１０には縦樋（図示せず）を接続している。
【００１１】
そして、軒樋１からの雨水を集水器６の排水口５に導くと共に集水器６から軒樋１が抜けることを防止するガイド部材１１をそれぞれの軒樋１の底部端縁１２に取付けている。このガイド部材１１は、軒樋１の底部端縁１２側から、集水器６の排水口５の中央に向けて低くなる斜面１３を備えると共に、軒樋１の底部端縁１２を挟持できるクリップ１４を一体に形成している。ガイド部材１１が備える斜面１３は、図２に示すように、下方に湾曲する湾曲面に形成していて、この湾曲面は、軒樋１の底部端縁１２側から、集水器１の排水口５中央に向けて、末広がりとなるように形成している。また、クリップ１４は軒樋１の底部端縁１２を挿入するスリット１６を挟む１対の把持片１５ａ、１５ｂで構成している。ガイド部材１１を構成する素材は特に限定はないがプラスチックを用いると、クリップ１４の把持片１５ａ、１５ｂを容易に形成でき、且つ、プラスチックの弾性の働きで、軒樋１の底部端縁１２を把持片１５ａ、１５ｂによって把持できるので好ましい。また、ガイド部材１１に形成するクリップ１４の幅は、軒樋１の底部２の幅や、集水器６の排水口５の大きさによって、適切な幅に設定すればよい。
【００１２】
以上述べた実施の形態の排水構造では、ガイド部材１１を軒樋１の底部端縁１２に取付けていて、このガイド部材１１は軒樋１からの雨水を集水器６の排水口５に導く働きと、集水器６から軒樋１が抜けることを防止する働きをする。軒樋１からの雨水を集水器６の排水口５に導く働きは、ガイド部材１１に備わる斜面１３の作用によって達成され、集水器６から軒樋１が抜けることを防止する働きは、図１で明かなように、軒樋１の底部端縁１２を把持片１５ａ、１５ｂによって把持できるクリップ１４があることによって達成される。さらに、この実施の形態では、ガイド部材１１が備える斜面１３を、図２に示すように、下方に湾曲する湾曲面に形成していて、この湾曲面は、軒樋１の底部端縁１２側から、集水器１の排水口５中央に向けて、末広がりとなるように形成しているので、単に平板状の斜面とした場合よりもよりスムーズに、軒樋１からの雨水を集水器６の排水口５に導くことができる。
【００１３】
【発明の効果】
請求項１に係る発明の軒樋の排水構造では、軒樋からの雨水を集水器の排水口に導くと共に集水器から軒樋が抜けることを防止するガイド部材を軒樋の底部端縁に取付けていて、このガイド部材は、軒樋の底部端縁側から、集水器の排水口中央に向けて低くなる斜面を備えると共に、軒樋底部端縁を挟持できるクリップを一体に形成しているので、請求項１に係る発明の軒樋の排水構造によれば、その底部を略平面状に形成している軒樋で受けた雨水の量が増大した場合でも、軒樋からの雨水が集水器の排水口からスムーズに排水できることが可能となると共に、集水器から軒樋が抜けることを防止することも可能となる。
【００１４】
請求項２及び請求項３に係る発明の軒樋の排水構造によれば、請求項１に係る発明の効果に加えて、軒樋からの雨水を集水器の排水口から、よりスムーズに排水できるという効果を奏する。
【図面の簡単な説明】
【図１】本発明の実施形態の説明するための概略断面図である。
【図２】本発明の実施形態で使用するガイド部材を示す斜視図である。
【図３】従来の軒樋の排水構造を示す概略断面図である。
【符号の説明】
１　軒樋
２　底部
３　上面
４　底面
５　排水口
６　集水器
７　側壁
８　軒樋挿入口
９　端部
１０　排水筒
１１　ガイド部材
１２　底部端縁
１３　斜面
１４　クリップ
１５ａ、１５ｂ　把持片
１６　スリット
【図１】
2004084177.tif 000003
【図２】
2004084177.tif 000004
【図３】
2004084177.tif 000005